(57)【特許請求の範囲】
【請求項１】
底部に設けるＵ字形状の底部骨格材（１１）と、
前記底部骨格材の上方に設ける上部骨格材（１４）と、
前記上部骨格材を前記底部骨格材に対して変位可能に結合する結合機構（２０）と、
前記底部骨格材と前記上部骨格材との間に挟設する一方側積層骨格材及び他方側積層骨格材と、
を少なくとも備え、
前記上部骨格材が前記底部骨格材の上方に積み重なった水平状態から前記結合機構とは反対側の前記上部骨格材のみが上昇した傾斜状態に段階的に変位可能であるとともに、
前記底部骨格材のＵ字形状が、一方の先端部から折曲箇所に至るまでの長さ及び他方の先端部から折曲箇所に至るまでの長さよりも、前記折曲箇所相互間の長さの方が長い介護用補助器具。
【請求項２】
すべての前記骨格材の周囲を被覆するカバー体を少なくとも備え、前記結合機構が膨出するように前記カバー体の内部側に弾性体を付加した請求項１の介護用補助器具。
【請求項３】
前記結合機構側に、長尺の姿勢変更補助体（３０）を付加延設した請求項１又は請求項２の介護用補助器具。
【請求項４】
前記上部骨格材の、前記結合機構の反対側に段階的に変位可能な関節機構（４０）を付加した請求項１から請求項３いずれかに記載の介護用補助器具。
【発明の詳細な説明】
【技術分野】
【０００１】
本願発明は、介護現場での利用に適した介護用補助器具に関するものである。
【背景技術】
【０００２】
従来から、様々な用途や構造の座椅子が存在する。介護現場においても被介護者を補助するため（被介護者の座姿勢を維持させるため）の器具のひとつとして座椅子が利用されている。例えば、座部と背もたれ部が水平状態からＬ字形状に段階的に変位する座椅子（以下、「Ｌ字座椅子」と呼ぶ。）が存在する（例えば、特許文献１）。
【先行技術文献】
【特許文献】
【０００３】
【特許文献１】特開２０１５−２２３２７３号公報
【発明の概要】
【発明が解決しようとする課題】
【０００４】
上述の様なＬ字座椅子は、座部と背もたれ部とが結合された構造であるため、座椅子利用者（被介護者を含む）が背もたれ部にもたれた際であっても座椅子利用者の体重によって当該座椅子が転倒し難しくなっている。
【０００５】
しかしながら、介護現場においては被介護者の姿勢変更を補助するための作動の際にＬ字座椅子が転倒してしまう場合がある。
【０００６】
そこで、特に介護現場において、被介護者が背部方向に転倒することを防止するとともに、座姿勢を維持することもできる介護用補助器具を提供することを第１の課題とする。
【０００７】
また、上述の様なＬ字座椅子においては、座部の弾性のみが早期に消耗してしまうケースも生じ得る。前記の様な場合には、当該Ｌ字座椅子全体の交換で対応する場合も少なくなくコスト面での負担が大きい。
【０００８】
そこで、座部の弾性のみが早期に消耗してしまうことを抑制又は防止するとともに、座姿勢を維持することもできる介護用補助器具を提供することを第２の課題とする。
【０００９】
さらに、上述の様なＬ字座椅子においては、当然のことながら使用用途が限定されてしまい使用場所も制限を受けてしまう。そこで、座姿勢を維持することはもとより、介護現場での利用に適し、様々な用途で使用可能で、使用場所の制限も受けない介護用補助器具を提供することを第３の課題とする。
【課題を解決するための手段】
【００１０】
本願発明は、上述の課題を解決するために、底部に設けるＵ字形状の底部骨格材と、前記底部骨格材の上方に設ける上部骨格材と、前記上部骨格材を前記底部骨格材に対して変位可能に結合する結合機構と、前記底部骨格材と前記上部骨格材との間に挟設する一方側積層骨格材及び他方側積層骨格材と、を少なくとも備え、前記上部骨格材が前記底部骨格材の上方に積み重なった水平状態から前記結合機構とは反対側の前記上部骨格材のみが上昇した傾斜状態に段階的に変位可能であるとともに、前記底部骨格材のＵ字形状が、一方の先端部から折曲箇所に至るまでの長さ及び他方の先端部から折曲箇所に至るまでの長さよりも、前記折曲箇所相互間の長さの方が長い介護用補助器具を提供する。
【００１１】
本願発明は、上述の課題を解決するために、すべての前記骨格材の周囲を被覆するカバー体を少なくとも備え、前記結合機構が膨出するように前記カバー体の内部側に弾性体を付加した介護用補助器具を提供する。
【００１２】
本願発明は、上述の課題を解決するために、前記結合機構側に、長尺の姿勢変更補助体を付加延設した介護用補助器具を提供する。
【００１３】
本願発明は、上述の課題を解決するために、前記上部骨格材の、前記結合機構の反対側に段階的に変位可能な関節機構を付加した介護用補助器具を提供する。
【発明の効果】
【００１４】
本願発明の介護用補助器具は、背もたれ部に相当する上部骨格材が底部骨格材に積み重なった水平状態から結合機構とは反対側の前記上部骨格材のみが上昇した傾斜状態に段階的に変位するため、介護が必要な利用者である被介護者が背もたれ部にもたれつつ前記被介護者の姿勢変更を補助するための作動の際であっても、介護用補助器具が背部方向に転倒してしまう場合があり得ず安全である。また、座部がなくても座姿勢を維持することができるため座部の弾性のみが早期に消耗してしまうこともない。
【００１５】
また、本願発明の介護用補助器具は、底部骨格材がＵ字形状であるため、安定感に優れる。
【００１６】
また、底部骨格材のＵ字形状が、一方の先端部から折曲箇所に至るまでの長さ及び他方の先端部から折曲箇所に至るまでの長さよりも、前記折曲箇所相互間の長さの方が長いため、より安定感に優れる（横方向への転倒がより抑制される）。
【００１７】
また、本願発明の介護用補助器具は、前記底部骨格材と前記上部骨格材との間に挟設する一方側積層骨格材及び他方側積層骨格材を備えるので前記底部骨格材と前記上部骨格材との間に一定の空間が確保され、仮に前記箇所に誤って指等が滑り込んでしまった場合であっても指等が挟まれることを防止する。
【００１８】
また、本願発明の介護用補助器具は、前記結合機構側が膨出するように前記カバー体の内部側に弾性体を付加したため、介護用補助器具を利用する被介護者の後頭部を載せる枕としても利用可能で、枕として利用した際には後頭部の滑り落ちを抑制できる。また、座姿勢を維持するために利用した際には腰部の滑り落ちを抑制できる。
【００１９】
また、本願発明の介護用補助器具は、結合機構側に延設した長尺の姿勢変更補助体を備えるため、介護用補助器具を利用する被介護者を第１姿勢（例えば、仰向け姿勢）から第２姿勢（例えば、横向き姿勢）へ変更する際に容易となる。
【００２０】
また、本願発明の介護用補助器具は、前記上部骨格材の、前記結合機構の反対側に段階的に変位可能な関節機構を備えるため、足枕として利用した際の膝から下の姿勢調整が可能となる。また、枕として利用したあるいは座姿勢を維持するために利用した際の飲食の提供もしやすくなる。
【図面の簡単な説明】
【００２１】
【図１】図１は実施例1の介護用補助器具の内部構造（水平状態）を示す全体図である。
【図２】図２は実施例１の介護用補助器具の内部構造（傾斜状態）を示す全体図である。
【図３】図３は実施例１の介護用補助器具の外観を示す全体図である。
【図４】図４は実施例１の介護用補助器具の第１の使用状態例を示す図である。
【図５】図５は実施例１の介護用補助器具の第２の使用状態例を示す図である。
【図６】図６は実施例２の介護用補助器具の外観を示す全体図である。
【図７】図７は実施例２の介護用補助器具の使用状態例を示す図である。
【図８】図８は実施例３の介護用補助器具の外観を示す全体図である。
【図９】図９は実施例３の介護用補助器具の使用状態例を示す図である。
【発明を実施するための形態】
【００２２】
介護現場での利用に適し、様々な用途で使用可能で、使用場所の制限も受けず、多機能・多目的な介護用補助器具として実施する。
【実施例１】
【００２３】
まずは、実施例１の介護用補助器具の構成について、図１から図３に従い説明する。
【００２４】
介護用補助器具（１）は、底面に設けるＵ字形状の底部骨格材（１１）と、前記底部骨格材の一方の先端部の上方側に溶接固着された一方側積層骨格材（１２）と、前記底部骨格材の他方の先端部の上方側に溶接固定された他方側積層骨格材（１３）と、前記底部骨格材の上方側に積層して備えるＵ字形状の上部骨格材（１４）と、前記上部骨格材の胴部に対して平行に設ける２本の補強骨格材（１５）と、前記底部骨格材、前記一方側積層骨格材、前記他方側積層骨格材、前記上部骨格材及び前記補強骨格材の周囲を被覆するカバー体（１６）と、前記上部骨格材を前記底部骨格材に対して変位可能に結合する結合機構（２０）と、で構成する（図１から図３）。
【００２５】
前記底部骨格材（１１）は、一方の先端部から延設され第１の折曲箇所に至り、当該折曲箇所からさらに延設され第２の折曲箇所を経由して他方の先端部に至るＵ字形状の鋼管である（図１及び図２）。
【００２６】
前記一方側積層骨格材（１２）及び前記他方側積層骨格材（１３）を前記底部骨格材（１１）と前記結合機構（２０）及び前記上部骨格材（１４）との間に挟設することにより、一定の空間を確保し、前記カバー体（１６）を設けることで、指等の挟み込み緩和と前記変位機構（２２）の破損（逆転）防止対策となる。
【００２７】
前記上部骨格材（１４）は、一方の先端部から延設され第１の折曲箇所に至り、当該折曲箇所からさらに延設され第２の折曲箇所を経由して他方の先端部に至るＵ字形状の鋼管である（図１及び図２）。
【００２８】
前記カバー体（１６）は、前記底部骨格材（１１）、前記一方側積層骨格材（１２）、前記他方側積層骨格材（１３）、前記上部骨格材（１４）、前記補強骨格材（１５）及び前記結合機構（２０）が直接介護用補助器具の利用者に接触しないようにその周囲を被覆している（図３）。
【００２９】
前記カバー体（１６）の内部側には、クッション性を有する弾性体を備えているが（図示せず）、前記カバー体の前記結合機構側が膨出するように前記弾性体を設けるのが好ましい（図３）。これにより、利活用場面（用途・目的）が増えるからである（例えば、後頭部を載せて枕として利用する等）。
【００３０】
なお、前記カバー体（１６）の前記底部表面の全体又は一部を摩擦抵抗の高い素材にすることにより、本願介護用補助器具が設置面との間で滑ることを抑制できる。また、前記カバー体の上部表面の全体又は一部を摩擦抵抗の高い素材にすることにより、本願介護用補助器具に支持される人体の一部が下部方向に滑り落ちることを抑制することができる。
【００３１】
前記結合機構（２０）について、前記上部骨格材（１４）を前記底部骨格材（１１）に対して変位可能に結合できれば良く、本実施例では、前記一方側積層骨格材及び前記他方側積層骨格材の上方側に溶接固着する積層結合部（２１）と、前記上部骨格材を前記底部骨格材に対して多段階で、かつ、０度から９０度の間で変位可能に結合する変位機構（２２）とで構成する（図１）。
【００３２】
前記変位機構（２２）は、多段階で、かつ、０度から９０度の間（鋭角範囲）で変位可能に結合されていれば許容しうる。
【００３３】
次に、介護用補助器具を、座姿勢を維持するために利用しているときの動作について、図４に従い説明する。
【００３４】
介護用補助器具を床に置き、上部面側に腰部又は背部をもたれて（接触させて）座る（図４）。
【００３５】
底部骨格材（１１）が、前記上部面側の後方に配置されることになるため、座部を設けなくても背部方向への転倒を防止することができる（図４の状態）。
【００３６】
次に、介護用補助器具を「枕」として利用しているときの動作について、図５に従い説明する。
【００３７】
介護用補助器具を布団あるいはベッドの上に載せ置き、上部面側に後頭部を載せて（接触させて）仰向けに寝る（図５）。
【００３８】
カバー体の結合機構側が膨出しているため、後頭部が滑り落ちることを抑制できる（図５の状態）。なお、前記上部面側の角度を上昇させていくことにより、仰向け寝姿勢を容易に変位させることが可能となる。
【００３９】
なお、本願の介護用補助器具は座部を設けていないことや省スペース設計としたことにより、使用用途が限定されず、また使用場所の制限も受けない。
【実施例２】
【００４０】
実施例２の介護用補助器具は、結合機構側に姿勢変更補助体を付加延設した介護用補助器具であり、実施例１と相違する部分についてのみ説明する。
【００４１】
まずは、実施例２の介護用補助器具の構成について、図６に従い説明する。
【００４２】
介護用補助器具（１）は、底面に設けるＵ字形状の底部骨格材（１１）と、前記底部骨格材の一方の先端部の上方側に溶接固着された一方側積層骨格材（１２）と、前記底部骨格材の他方の先端部の上方側に溶接固定された他方側積層骨格材（１３）と、前記底部骨格材の上方側に積層して備えるＵ字形状の上部骨格材（１４）と、前記上部骨格材の胴部に対して平行に設ける２本の補強骨格材（１５）と、前記底部骨格材、前記一方側積層骨格材、前記他方側積層骨格材、前記上部骨格材及び前記補強骨格材の周囲を被覆するカバー体（１６）と、前記上部骨格材を前記底部骨格材に対して変位可能に結合する結合機構（２０）と、前記結合機構側に付加延設する姿勢変更補助体（３０）とで構成する（図１及び図６）。
【００４３】
前記姿勢変更補助体（３０）について、端部を持ち上げることにより仰向け（第１姿勢）に寝ている被介護者を横向け（第２姿勢）に変更することが可能な長尺体であれば良いが、丈夫で柔軟な材質である方が好ましい（図６）。
【００４４】
次に、介護用補助器具を仰向けに寝かせた被介護者の「胸部及び腹部等の支持体」として利用しているときの動作について、図７に従い説明する。
【００４５】
介護用補助器具を床に載せ置き、前記姿勢変更補助体（３０）の長辺方向（Ａ）に対して被介護者を仰向けに寝かせる（図７の状態）。
【００４６】
前記姿勢変更補助体（３０）の短辺方向（Ｂ）の先端部を持ち上げて、被介護者を横向き姿勢に姿勢変更する。
【００４７】
横向きに姿勢変更をした被介護者は、胸部及び腹部が当該介護用補助器具の上部面側に接触し支持されるため、うつ伏せ姿勢になることを防止できる。このように、被介護者の姿勢変更が容易となり、介護する者の負担が軽減される。
【実施例３】
【００４８】
実施例３の介護用補助器具は、上部骨格材の先端方向に関節機構を付加した介護用補助器具であり、実施例１と相違する部分についてのみ説明する。
【００４９】
まずは、実施例３の介護用補助器具の構成について、図８に従い説明する。
【００５０】
介護用補助器具（１）は、底面に設けるＵ字形状の底部骨格材（１１）と、前記底部骨格材の一方の先端部の上方側に溶接固着された一方側積層骨格材（１２）と、前記底部骨格材の他方の先端部の上方側に溶接固定された他方側積層骨格材（１３）と、前記底部骨格材の上方側に積層して備えるＵ字形状の上部骨格材（１４）と、前記上部骨格材の胴部に対して平行に設ける２本の補強骨格材（１５）と、前記底部骨格材、前記一方側積層骨格材、前記他方側積層骨格材、前記上部骨格材及び前記補強骨格材の周囲を被覆するカバー体（１６）と、前記上部骨格材を前記底部骨格材に対して変位可能に結合する結合機構（２０）と、前記上部骨格材の反結合機構側に設ける関節機構（４０）とで構成する（図１及び図８）。
【００５１】
前記関節機構（４０）は、前記上部骨格材（１４）に対して段階的に変位可能に結合されていれば良い（図８）。
【００５２】
次に、介護用補助器具を「足枕」として利用しているときの動作について、図９に従い説明する。
【００５３】
介護用補助器具を布団あるいはベッドに載せ置き、当該介護用補助器具の上部面側に脚部を載せて（接触させて）仰向けに寝る（図９の状態）。
【００５４】
前記上部骨格材と前記関節機構との両方が変位可能であることから、被介護者の要望に応じた様々な姿勢の維持や補助介護が可能となる。
【産業上の利用可能性】
【００５５】
本願発明の介護用補助器具は、介護現場での利用に適し（被介護者が背部方向への転倒することを防止する等）、様々な用途で使用可能で、使用場所の制限も受けず、多機能・多目的な優れた介護用補助器具であるので、産業上の利用性可能性を有する。
【符号の説明】
【００５６】
１          介護用補助器具
１１        底部骨格材
１２        一方側積層骨格材
１３        他方側積層骨格材
１４        上部骨格材
１５        補強骨格材
１６        カバー体
２０        結合機構
２１        積層結合部
２２        変位機構
３０        姿勢変更補助体
４０        関節機構
Ａ          姿勢変更補助体の長辺方向
Ｂ          姿勢変更補助体の短辺方向
【図１】
0006694730.tif 000002
【図２】
0006694730.tif 000003
【図３】
0006694730.tif 000004
【図４】
0006694730.tif 000005
【図５】
0006694730.tif 000006
【図６】
0006694730.tif 000007
【図７】
0006694730.tif 000008
【図８】
0006694730.tif 000009
【図９】
0006694730.tif 000010